(57)【特許請求の範囲】
【請求項１】
医学分野、生物分野、化学分野における臨床検査ないし化学分析に用いられる自動分析装置であって、
少なくとも、臨床検査ないし化学分析に関する試薬や洗浄剤を含む消耗品の情報を入力する消耗品情報入力手段と、
前記消耗品情報入力手段により入力された消耗品の情報を格納する消耗品情報格納手段と、
少なくとも、従前におこなわれた臨床検査ないし化学分析に使用した試薬や洗浄剤の情報を含む試験実績を格納する試験実績格納手段と、
新たな臨床検査ないし化学分析の試験項目と試験数を入力する試験内容入力手段と、
前記消耗品情報格納手段により格納された消耗品の情報と、前記試験実績格納手段により格納された試験実績と、前記試験内容入力手段により入力された試験項目と試験数に基づいて、臨床検査ないし化学分析を実行した場合に試験結果の精度が保証できるか否かを判定する試験精度判定手段と、
を備えたことを特徴とする自動分析装置。
【請求項２】
前記消耗品は、臨床検査ないし化学分析に関する容器を含み、
前記試験実績は、従前におこなわれた臨床検査ないし化学分析に使用した容器の情報を含むことを特徴とする請求項１に記載の自動分析装置。
【請求項３】
前記試験精度判定手段により試験結果の精度が保証できないと判定された場合に、前記試験内容入力手段により入力された試験項目と試験数にかかる前記新たな臨床検査ないし化学分析の実行を禁止する試験禁止手段を備えたことを特徴とする請求項１または２に記載の自動分析装置。
【請求項４】
前記消耗品情報格納手段により格納された消耗品の情報と、前記試験実績格納手段により格納された試験実績と、前記試験内容入力手段により入力された試験項目と試験数に基づいて、消耗品の補充要請もしくは交換要請に関する情報を送出する要請情報送出手段を備えたことを特徴とする請求項１〜３のいずれか１つ２に記載の自動分析装置。
【請求項５】
消耗品の情報は、品名、ロット番号、シリアル番号、量、耐用回数もしくは有効期限、価格に関する情報であることを特徴とする請求項１〜４のいずれか１つに記載の自動分析装置。
【請求項６】
消耗品の情報は１次元バーコードもしくは２次元バーコードにより表現され、前記消耗品情報入力手段をバーコードリーダとしたことを特徴とする請求項１〜５のいずれか一つに記載の自動分析装置。
【請求項７】
消耗品の情報を１次元バーコードもしくは２次元バーコードとして発行するバーコード発行手段を備えたことを特徴とする請求項１〜６のいずれか一つに記載の自動分析装置。
【請求項８】
前記消耗品情報入力手段により入力された消耗品の情報と、前記試験内容入力手段により入力された試験項目と試験数に基づいて、臨床検査ないし化学分析を実行した場合の試験費用を算出する試験費算出手段を備えたことを特徴とする請求項１〜７のいずれか一つに記載の自動分析装置。
【請求項９】
試験中のエラーを検知するエラー検知手段と、
前記エラー検知手段によりエラーが検知された場合に、装置の状態を取得する装置状態取得手段と、
前記エラー検知手段により検知されたエラーに関する情報と、前記装置状態取得手段により取得された装置の状態に関する情報を送出するエラー状態送出手段と、
を備えたことを特徴とする請求項１〜８のいずれか一つに記載の自動分析装置。
【請求項１０】
請求項４に記載の自動分析装置がネットワークを介して管理装置と接続している自動分析システムであって、
前記管理装置は、
前記要請情報送出手段により送出された補充要請もしくは交換要請に関する情報を受信する要請情報受信手段と、
前記要請情報受信手段により受信された情報に基づいて、補充もしくは交換すべき消耗品を発注する発注手段と、
を備えたことを特徴とする自動分析システム。
【請求項１１】
請求項４に記載の自動分析装置が複数台ネットワークを介して管理装置と接続している自動分析システムであって、
前記管理装置は、
前記要請情報送出手段から送出された補充要請もしくは交換要請に関する情報を受信する要請情報受信手段と、
前記要請情報受信手段により受信された情報を格納する要請情報格納手段と、
前記要請情報格納手段により格納された情報に基づいて、消耗品の消費履歴を導出する消費履歴導出手段と、
を備えたことを特徴とする自動分析システム。
【請求項１２】
前記管理装置は、前記消費履歴導出手段により導出された消耗品の消費履歴から消耗品の消費量を予測する消費量予測手段を備えたことを特徴とする請求項１１に記載の自動分析システム。
【請求項１３】
前記管理装置は、前記消費量予測手段により予測された消費量に基づいて消耗品を発注する発注手段を備えたことを特徴とする請求項１２に記載の自動分析システム。
【請求項１４】
医学分野、生物分野、化学分野における臨床検査ないし化学分析に用いられる自動分析装置管理方法であって、
少なくとも、臨床検査ないし化学分析に関する試薬や洗浄剤を含む消耗品の情報を入力する消耗品情報入力工程と、
前記消耗品情報入力工程で入力された消耗品の情報を格納する消耗品情報格納工程と、
少なくとも、従前におこなわれた臨床検査ないし化学分析に使用した試薬や洗浄剤の情報を含む試験実績を格納する試験実績格納工程と、
新たな臨床検査ないし化学分析の試験項目と試験数を入力する試験内容入力工程と、
前記消耗品情報格納工程で格納された消耗品の情報と、前記試験実績格納工程で格納された試験実績と、前記試験内容入力工程で入力された試験項目と試験数に基づいて、臨床検査ないし化学分析を実行した場合に試験結果の精度が保証できるか否かを判定する試験精度判定工程と、
を含んだことを特徴とする自動分析装置管理方法。
【請求項１５】
前記消耗品は、臨床検査ないし化学分析に関する容器を含み、
前記試験実績は、従前におこなわれた臨床検査ないし化学分析に使用した容器の情報を含むことを特徴とする請求項１４に記載の自動分析装置管理方法。
【請求項１６】
前記試験精度判定工程で試験結果の精度が保証できないと判定された場合に、前記試験内容入力工程で入力された試験項目と試験数にかかる前記新たな臨床検査ないし化学分析の実行を禁止する試験禁止工程を含んだことを特徴とする請求項１４または１５に記載の自動分析装置管理方法。
【請求項１７】
前記消耗品情報格納工程で格納された消耗品の情報と、前記試験実績格納工程で格納された試験実績と、前記試験内容入力工程で入力された試験項目と試験数に基づいて、消耗品の補充要請もしくは交換要請に関する情報を送出する要請情報送出工程を含んだことを特徴とする請求項１４〜１６のいずれか１つに記載の自動分析装置管理方法。
【請求項１８】
消耗品の情報は、品名、ロット番号、シリアル番号、量、耐用回数もしくは有効期限、価格に関する情報であることを特徴とする請求項１４〜１７のいずれか１つに記載の自動分析装置管理方法。
【請求項１９】
消耗品の情報は１次元バーコードもしくは２次元バーコードにより表現され、前記消耗品情報入力工程ではバーコードリーダを用いて消耗品の情報を入力することを特徴とする請求項１４〜１８のいずれか一つに記載の自動分析装置管理方法。
【請求項２０】
消耗品の情報を１次元バーコードもしくは２次元バーコードとして発行するバーコード発行工程を含んだことを特徴とする請求項１４〜１９のいずれか一つに記載の自動分析装置管理方法。
【請求項２１】
前記消耗品情報入力工程で入力された消耗品の情報と、前記試験内容入力工程で入力された試験項目と試験数に基づいて、臨床検査ないし化学分析を実行した場合の試験費用を算出する試験費算出工程を含んだことを特徴とする請求項１４〜２０のいずれか一つに記載の自動分析装置管理方法。
【請求項２２】
試験中のエラーを検知するエラー検知工程と、
前記エラー検知工程でエラーが検知された場合に、装置の状態を取得する装置状態取得工程と、
前記エラー検知工程で検知されたエラーに関する情報と、前記装置状態取得工程で取得された装置の状態に関する情報を送出するエラー状態送出工程と、
を含んだことを特徴とする請求項１４〜２１のいずれか一つに記載の自動分析装置管理方法。
【請求項２３】
請求項４に記載の自動分析装置に適用する消耗品管理方法であって、
前記要請情報送出手段から送出された補充要請もしくは交換要請に関する情報を受信する要請情報受信工程と、
前記要請情報受信工程で受信された情報に基づいて、補充もしくは交換すべき消耗品を発注する発注工程と、
を含んだことを特徴とする消耗品管理方法。
【請求項２４】
請求項４に記載の自動分析装置が複数台存在する場合の消耗品管理方法であって、
前記要請情報送出手段から送出された補充要請もしくは交換要請に関する情報を受信する要請情報受信工程と、
前記要請情報受信工程で受信された情報を格納する要請情報格納工程と、
前記要請情報格納工程で格納された情報に基づいて、消耗品の消費履歴を導出する消費履歴導出工程と、
を含んだことを特徴とする消耗品管理方法。
【請求項２５】
前記消費履歴導出工程により導出された消耗品の消費履歴から消耗品の消費量を予測する消費量予測工程を含んだことを特徴とする請求項２４に記載の消耗品管理方法。
【請求項２６】
前記消費量予測工程で予測された消費量に基づいて消耗品を発注する発注工程を含んだことを特徴とする請求項２５に記載の消耗品管理方法。
【発明の詳細な説明】
【０００１】
【発明の属する技術分野】
本発明は、自動分析装置、自動分析システム、自動分析装置管理方法および消耗品管理方法に関し、特に、消耗品を含め総合的な管理が可能な自動分析装置、自動分析システム、自動分析装置管理方法および消耗品管理方法に関する。
【０００２】
【従来の技術】
臨床検査ないし化学分析に用いられる自動分析装置は、装置内に多数（たとえば数十個〜数百個）の検体をセットし、各試験項目の検査を自動的におこない、試験結果を表示ないしプリントアウトすることができる。分析に用いた消耗品は自動的に排出され、試験装置内の各部の洗浄も自動的におこなわれる。すなわち、自動分析装置は、検体、および、試薬等の消耗品をセットするだけで、ほとんど人手を介することなく所望の試験結果を入手でき、かつ、試験の後始末までおこなう。
【０００３】
自動分析装置は、試薬等を変えることにより、一台で種々の分析をおこなうことができる。たとえば、自動分析装置は、ラテックス免疫比濁法、免疫比濁法、比色法を用いて、免疫／生化学／凝固／グルコース分析／電解質分析等もおこなうことができる。
【０００４】
自動分析装置は、その筐体の大きさの制約や、試験項目の多さ、使用する試薬類のコストという観点から、調べる検体の量を微少量（時として、１検体の量が数μｌ程度）としている。
【０００５】
以上のように、従来の自動分析装置は、１検体の量を少なくしつつ一度に多数の検体を同一条件下で分析でき、かつ、全自動で結果を出力する非常に利便性の高い装置であった。
【０００６】
【発明が解決しようとする課題】
しかしながら、従来の技術では以下の問題点があった。
すなわち、分析に用いる消耗品の管理が分析装置内で十分にされていないため、試験精度を維持できないもしくは試験精度を保証できない場合が発生するという問題点があった。たとえば、分析に用いる試薬類はロット毎に精度管理のための微調整が成されておりロットの異なる試薬が継ぎ足されると精度が保てない場合や、有効期限が過ぎた試薬類を知らずに誤って用いることにより本来の精度が保てない場合が発生していた。
【０００７】
また、メーカが指定していない消耗品を使用することで精度が維持できない場合や、自動分析装置に使用される洗剤の種類が多く、かつ、同時に使用されるため、誤ったところに充填してしまうと十分な洗浄効果が得られず結果として試験精度が維持できない場合等が発生していた。特に、他メーカ製の試薬が用いられると、試験精度が非常に不安定になるという問題点があった。換言すると、人為的な消耗品の管理ミスで試験の信頼性が低くなる場合があるという問題点があった。
【０００８】
また、この問題点を解消すべく、試薬の提供側では試験精度を保証する装置の機種を指定したり、反対に、装置の提供側では試験精度を保証する試薬種類に関する情報を提供したりしている。しかしながら、試薬は有効期限内につぎ足しなしで使い切ることを前提としたものであり、各々の試験精度が保証されている場合でもロットの異なる試薬をつぎ足して使用した場合は、試験結果の揺らぎが大きくなるという問題点があった。
【０００９】
この問題点は、一般的な経験則としても知られているにもかかわらず、依然として解決されていなかった。換言すると、自動分析装置のマルチユーザマルチパーパスという性質上、２種以上のロットの試薬をつぎ足して使用してはならない原則やメーカ推奨消耗品の使用励行が維持しにくいという問題点があった。
【００１０】
また、近年では、包括的な試験管理をおこないたいという要請が出てきている。自動分析装置は、上述したように、すべての試験工程を自動化している。従って、試験効率の観点から、たとえば、検体に使用するカップや、装置に用いる定期交換部品（シリンジ、パッキン、ハロゲンランプ、熱線カットフィルター、プローブ）など、多種多様の物品が使い捨ての消耗品という構成となっている。よって、消費される消耗品が多数に上るので、試験をおこなう側から、消耗品の在庫管理をおこない、また、コスト計算を試験毎におこないたいという要請が出てきている。
【００１１】
しかしながら、従来では、試験項目が試験毎に異なっていたり、担当の試験官が試験毎に異なっていたりして、必ずしも在庫管理ひいては試験費用管理が十分にできていないという問題点があった。特に、ユーザが複数いる場合は、相互に在庫確認をおこなう必要があったが、この様な手間を省き、常に在庫はあるものとして円滑に試験をおこないたいという要請があった。
【００１２】
また、従来では、自動分析装置メーカと消耗品メーカ（たとえば試薬メーカ）が異なるため、消耗品（試薬）の生産管理がうまく調整できず、使用期限切れの試薬が発生してしまうなど、消耗品コスト（試薬コスト）が適正価格以上となってしまうという問題点もあった。換言すると、試験コストが高くなるという問題点があった。
【００１３】
本発明は上記に鑑みてなされたものであって、試験精度を維持し、試験結果の信頼性を向上させることを目的とする。
【００１４】
また、在庫管理による検査ないし分析の円滑化を図ることを目的とする。
【００１５】
また、生産調整による消耗品の管理をおこなうことを目的とする。
【００１６】
【課題を解決するための手段】
上記の目的を達成するために、本発明に係る自動分析装置は、医学分野、生物分野、化学分野における臨床検査ないし化学分析に用いられる自動分析装置であって、臨床検査ないし化学分析に関する消耗品の情報を入力する消耗品情報入力手段と、前記消耗品情報入力手段により入力された消耗品の情報を格納する消耗品情報格納手段と、従前におこなわれた臨床検査ないし化学分析の試験実績を格納する試験実績格納手段と、新たな臨床検査ないし化学分析の試験項目と試験数を入力する試験内容入力手段と、前記消耗品情報格納手段により格納された消耗品の情報と、前記試験実績格納手段により格納された試験実績と、前記試験内容入力手段により入力された試験項目と試験数に基づいて、臨床検査ないし化学分析を実行した場合に試験結果の精度が保証できるか否かを判定する試験精度判定手段と、を備えたことを特徴とする。
【００１７】
すなわち、上記発明は、消耗品と試験内容を共に管理する。
【００１８】
また、本発明に係る自動分析装置は、前記試験精度判定手段により試験結果の精度が保証できないと判定された場合に、前記試験内容入力手段により入力された試験項目と試験数にかかる前記新たな臨床検査ないし化学分析の実行を禁止する試験禁止手段を備えたことを特徴とする。
【００１９】
すなわち、上記発明は、試薬のつぎ足しや、保証されていない消耗品の組合せなど、正常でないもしくは保証のされていない消耗品の使用を禁止し、試験精度を維持することができる。
【００２０】
また、本発明に係る自動分析装置は、前記消耗品情報格納手段により格納された消耗品の情報と、前記試験実績格納手段により格納された試験実績と、前記試験内容入力手段により入力された試験項目と試験数に基づいて、消耗品の補充要請もしくは交換要請に関する情報を送出する要請情報送出手段を備えたことを特徴とする。
【００２１】
すなわち、上記発明は、在庫管理を通じて、消耗品不足の発生が防止でき、検査ないし分析を円滑におこなうことができる。
【００２２】
また、本発明に係る自動分析装置は、消耗品の情報が、品名、ロット番号、シリアル番号、量、耐用回数もしくは有効期限、価格に関する情報であることを特徴とする。
【００２３】
すなわち、上記発明は、消耗品を品名、ロット番号、シリアル番号で管理でき、試験実績に基づいて消耗品の残量管理や交換時期の管理ができ、また、コスト管理も可能となる。
【００２４】
また、本発明に係る自動分析装置は、消耗品の情報が１次元バーコードもしくは２次元バーコードにより表現され、前記消耗品情報入力手段をバーコードリーダとしたことを特徴とする。
【００２５】
すなわち、上記発明は、消耗品自体もしくは消耗品の包装に付されているバーコードにより瞬時に消耗品の情報を入力する。
【００２６】
また、本発明に係る自動分析装置は、消耗品の情報を１次元バーコードもしくは２次元バーコードとして発行するバーコード発行手段を備えたことを特徴とする。
【００２７】
すなわち、上記発明は、消耗品の情報をバーコードとして発行し、バーコードが付されていない消耗品を使用する場合であっても、バーコード管理が可能になり、装置の作業効率を向上させることができる。
【００２８】
また、本発明に係る自動分析装置は、前記消耗品情報入力手段により入力された消耗品の情報と、前記試験内容入力手段により入力された試験項目と試験数に基づいて、臨床検査ないし化学分析を実行した場合の試験費用を算出する試験費算出手段を備えたことを特徴とする。
【００２９】
すなわち、上記発明は、従来では、試験項目、消耗品種類、消耗品数が膨大な数であり、試験費用の手計算が煩雑であったところ、既に入力してある消耗品情報に基づいて容易に試験費用を算出することができる。
【００３０】
また、本発明に係る自動分析装置は、試験中のエラーを検知するエラー検知手段と、前記エラー検知手段によりエラーが検知された場合に、装置の状態を取得する装置状態取得手段と、前記エラー検知手段により検知されたエラーに関する情報と、前記装置状態取得手段により取得された装置の状態に関する情報を送出するエラー状態送出手段と、を備えたことを特徴とする。
【００３１】
すなわち、上記発明は、障害時における装置状態を把握する。
【００３２】
また、本発明に係る自動分析システムは、自動分析装置がネットワークを介して管理装置と接続している自動分析システムであって、前記管理装置が、前記要請情報送出手段により送出された補充要請もしくは交換要請に関する情報を受信する要請情報受信手段と、前記要請情報受信手段により受信された情報に基づいて、補充もしくは交換すべき消耗品を発注する発注手段と、を備えたことを特徴とする。
【００３３】
すなわち、上記発明は、管理装置側で在庫管理をするので、自動分析装置を使用する側（ユーザ）の在庫管理の手間を省きつつ、臨床検査ないし化学分析を円滑におこなうことができる。
【００３４】
また、本発明に係る自動分析システムは、自動分析装置が複数台ネットワークを介して管理装置と接続している自動分析システムであって、前記管理装置が、前記要請情報送出手段から送出された補充要請もしくは交換要請に関する情報を受信する要請情報受信手段と、前記要請情報受信手段により受信された情報を格納する要請情報格納手段と、前記要請情報格納手段により格納された情報に基づいて、消耗品の消費履歴を導出する消費履歴導出手段と、を備えたことを特徴とする。
【００３５】
すなわち、上記発明は、消耗品に関する大局的な消費傾向を把握することができ、消耗品の生産計画に資することができる。
【００３６】
また、本発明に係る自動分析システムは、前記管理装置が、前記消費履歴導出手段により導出された消耗品の消費履歴から消耗品の消費量を予測する消費量予測手段を備えたことを特徴とする。
【００３７】
すなわち、上記発明は、消耗品の生産計画が可能になる。また、生産計画が可能となることで、試験精度が保証された消耗品を安価に提供することができる。
【００３８】
また、本発明に係る自動分析システムは、前記管理装置が、前記消費量予測手段により予測された消費量に基づいて消耗品を発注する発注手段を備えたことを特徴とする。
【００３９】
すなわち、上記発明は、消耗品を提供する側の在庫管理の手間を省くことができる。
【００４０】
また、本発明に係る自動分析装置管理方法は、医学分野、生物分野、化学分野における臨床検査ないし化学分析に用いられる自動分析装置管理方法であって、臨床検査ないし化学分析に関する消耗品の情報を入力する消耗品情報入力工程と、前記消耗品情報入力工程で入力された消耗品の情報を格納する消耗品情報格納工程と、従前におこなわれた臨床検査ないし化学分析の試験実績を格納する試験実績格納工程と、新たな臨床検査ないし化学分析の試験項目と試験数を入力する試験内容入力工程と、前記消耗品情報格納工程で格納された消耗品の情報と、前記試験実績格納工程で格納された試験実績と、前記試験内容入力工程で入力された試験項目と試験数に基づいて、臨床検査ないし化学分析を実行した場合に試験結果の精度が保証できるか否かを判定する試験精度判定工程と、を含んだことを特徴とする。
【００４１】
すなわち、上記発明は、消耗品と試験内容を共に管理する。
【００４２】
また、本発明に係る自動分析装置管理方法は、前記試験精度判定工程で試験結果の精度が保証できないと判定された場合に、前記試験内容入力工程で入力された試験項目と試験数にかかる前記新たな臨床検査ないし化学分析の実行を禁止する試験禁止工程を含んだことを特徴とする。
【００４３】
すなわち、上記発明は、試薬のつぎ足しや、保証されていない消耗品の組合せなど、正常でないもしくは保証のされていない消耗品の使用を禁止し、試験精度を維持することができる。
【００４４】
また、本発明に係る自動分析装置管理方法は、前記消耗品情報格納工程で格納された消耗品の情報と、前記試験実績格納工程で格納された試験実績と、前記試験内容入力工程で入力された試験項目と試験数に基づいて、消耗品の補充要請もしくは交換要請に関する情報を送出する要請情報送出工程を含んだことを特徴とする。
【００４５】
すなわち、上記発明は、在庫管理を通じて、消耗品不足の発生が防止でき、検査ないし分析を円滑におこなうことができる。
【００４６】
また、本発明に係る自動分析装置管理方法は、消耗品の情報が、品名、ロット番号、シリアル番号、量、耐用回数もしくは有効期限、価格に関する情報であることを特徴とする。
【００４７】
すなわち、上記発明は、消耗品を品名、ロット番号、シリアル番号で管理でき、試験実績に基づいて消耗品の残量管理や交換時期の管理ができ、また、コスト管理も可能となる。
【００４８】
また、本発明に係る自動分析装置管理方法は、消耗品の情報が１次元バーコードもしくは２次元バーコードにより表現され、前記消耗品情報入力工程ではバーコードリーダを用いて消耗品の情報を入力することを特徴とする。
【００４９】
すなわち、上記発明は、消耗品自体もしくは消耗品の包装に付されているバーコードにより瞬時に消耗品の情報を入力する。
【００５０】
また、本発明に係る自動分析装置管理方法は、消耗品の情報を１次元バーコードもしくは２次元バーコードとして発行するバーコード発行工程を含んだことを特徴とする。
【００５１】
すなわち、上記発明は、消耗品の情報をバーコードとして発行し、バーコードが付されていない消耗品を使用する場合であっても、バーコード管理が可能になり、装置の作業効率を向上させることができる。
【００５２】
また、本発明に係る自動分析装置管理方法は、前記消耗品情報入力工程で入力された消耗品の情報と、前記試験内容入力工程で入力された試験項目と試験数に基づいて、臨床検査ないし化学分析を実行した場合の試験費用を算出する試験費算出工程を含んだことを特徴とする。
【００５３】
すなわち、上記発明は、従来では、試験項目、消耗品種類、消耗品数が膨大な数であり、試験費用の手計算が煩雑であったところ、既に入力してある消耗品情報に基づいて容易に試験費用を算出することができる。
【００５４】
また、本発明に係る自動分析装置管理方法は、試験中のエラーを検知するエラー検知工程と、前記エラー検知工程でエラーが検知された場合に、装置の状態を取得する装置状態取得工程と、前記エラー検知工程で検知されたエラーに関する情報と、前記装置状態取得工程で取得された装置の状態に関する情報を送出するエラー状態送出工程と、を含んだことを特徴とする。
【００５５】
すなわち、上記発明は、障害時における装置状態を把握する。
【００５６】
また、本発明に係る消耗品管理方法は、自動分析装置に適用する消耗品管理方法であって、前記要請情報送出手段から送出された補充要請もしくは交換要請に関する情報を受信する要請情報受信工程と、前記要請情報受信工程で受信された情報に基づいて、補充もしくは交換すべき消耗品を発注する発注工程と、を含んだことを特徴とする。
【００５７】
すなわち、上記発明は、自動分析装置以外の場所で在庫管理をし、自動分析装置を使用する側での在庫管理の手間を省きつつ、臨床検査ないし化学分析を円滑におこなうことができる。
【００５８】
また、本発明に係る消耗品管理方法は、自動分析装置が複数台存在する場合の消耗品管理方法であって、前記要請情報送出手段から送出された補充要請もしくは交換要請に関する情報を受信する要請情報受信工程と、前記要請情報受信工程で受信された情報を格納する要請情報格納工程と、前記要請情報格納工程で格納された情報に基づいて、消耗品の消費履歴を導出する消費履歴導出工程と、を含んだことを特徴とする。
【００５９】
すなわち、上記発明は、消耗品に関する大局的な消費傾向を把握することができ、消耗品の生産計画に資することができる。
【００６０】
また、本発明に係る消耗品管理方法は、前記消費履歴導出工程により導出された消耗品の消費履歴から消耗品の消費量を予測する消費量予測工程を含んだことを特徴とする。
【００６１】
すなわち、上記発明は、消耗品の生産計画が可能になる。また、生産計画が可能となることで、試験精度が保証された消耗品を安価に提供することができる。
【００６２】
また、本発明に係る消耗品管理方法は、前記消費量予測工程で予測された消費量に基づいて消耗品を発注する発注工程を含んだことを特徴とする。
【００６３】
すなわち、上記発明は、消耗品を提供する側の在庫管理の手間を省くことができる。
【００６４】
【発明の実施の形態】
以下、本発明の実施の形態を図面を参照しながら詳細に説明する。
ここでは、自動分析装置がネットワークを介して管理装置と接続している自動分析システムを例に、本発明の自動分析装置と消耗品の管理方法について説明する。
【００６５】
図１は、本発明の自動分析システムの外観構成図である。自動分析システム１００は、臨床検査ないし化学分析をおこなう自動分析装置１０１と、自動分析装置１０１を管理する管理装置１０２と、自動分析装置１０１と管理装置１０２を接続するネットワーク１０３と、から構成される。なお、管理装置１０２には、自動分析装置１０１が複数接続されているが、以降の説明では、特に断らない限り、単一の自動分析装置１０１について説明する。ここでは、まず、自動分析装置について説明し、次に、管理装置、最後にネットワークの形態について説明する。
【００６６】
（自動分析装置の内容）
図２は、自動分析装置１０１の外観の一例を示した説明図である。この例では、免疫／生化／凝固項目等の測定が可能な自動分析装置を説明する。自動分析装置１０１は、分析部２０１と、消耗品格納部２０２と、解析部２０３と、表示部２０４と、バーコードリーダ２０５とを有する。なお、符号２０６は、ネットワーク１０３に接続する電話線を示す。
【００６７】
詳細な説明は後述するが、分析部２０１は、反応容器に入った検体に試薬を滴下し分光分析、吸光分析等をおこない、比色分析、比濁分析をおこなう。図示は省略するが、分析部２０１は、反応容器を自動搬送し、また、必要に応じて、未使用の反応容器を分析通路に誘導搬送する。さらに、試験の終了した反応容器を所定の廃材庫に仕分け廃棄する。このほか、分析部２０１は、予め格納されている洗浄剤を用いて、プローブ等を洗浄し、次の試験に支障の無いように装置内部を洗浄する。
【００６８】
消耗品格納部２０２は、臨床検査ないし化学分析に使用する各種の消耗品を格納する。消耗品は大きく分けて４種類存在する。試薬類、洗浄剤類、容器類、定期交換部品である。
【００６９】
まず、試薬類としては、たとえば、測定試薬（ＩｇＧ，ＩｇＡ，ＩｇＭ，Ｃ３，Ｃ４）や希釈溶液ないし緩衝液（純水、生理食塩水、ｐＨ調整液）が挙げられる。容器類としては、検体用容器、反応容器が挙げられる。また、定期交換部品としては、各種チューブ、パッキン、乾燥ノズル、ハロゲンランプ、セルワイパー、熱線カットフィルター、プローブ、ミキサー、ポンプチューブが挙げられる。
【００７０】
消耗品格納部２０２には、この様な消耗品のうち、特に、試薬類、洗浄剤類および容器類が所定の設置場所に設置される。直近の試験に使用する試薬類には、ボトルの上から吸引チューブを差し込み、定量滴下に備える。同様に、直近の試験に使用する検体用容器については、自動搬送用ルートに設置する。なお、この自動搬送用ルートに設置された検体用容器は、前述した消耗品格納部２０２によりそれぞれの試験工程における定位置に搬送される。
【００７１】
解析部２０３は、分析部２０１で得られた分析結果に基づいて、試験項目の内容を解析する。たとえば、分析部２０１で、ある試薬Ａ（酵素標識試薬）に別の試薬Ｂ（発色基質）を滴下したときに検体中に存在する抗原と試薬Ａ、試薬Ｂが免疫複合体を形成し、試薬Ａに結合された酵素の作用で、有色化合物Ｃが形成され、比色分析で検体中の抗原を定量する。特に、血液検査では試験項目が多く、途中の試薬が共通するような場合もあるので、中途の結果を順次格納しておき、解析部２０３が所定の算出式を用いて各種の結果を一括して出力する。
【００７２】
表示部２０４は、各種の情報を出力表示する。表示項目としては、試験名、試験項目、試験日、試験数（検体数）、試験の進行状況（試験の予定終了時間）、使用試薬（品名、ロット番号、シリアル番号、有効期限）が挙げられる。このほか、試験中にエラー（障害）が発生した場合には、エラー内容、装置状態、復旧手続のための操作手順も表示する。
【００７３】
表示部２０４は、さらに、消耗品の在庫状況も通知する。たとえば、検体用容器ｃが、現在おこなっている試験については十分な量あるが、同様な試験があと２回続くと、在庫がなくなってしまうというような表示（警告表示）もおこなう。また、試薬は原則としてメーカより供給された試薬ボトル毎の使い切りであるので、新たな試験について、同一シリアル番号の試薬が使われようとしている場合には、ユーザの何らかの誤動作で不適切な試薬を使用する危険性があり、試験精度が維持できない旨の警告も表示する。なお、この同一シリアル番号の試薬か否かの判断は、次に説明するバーコードリーダ２０５によるシリアル番号の読み取り結果によって判断される。
【００７４】
バーコードリーダ２０５は、消耗品の情報（以降では適宜消耗品情報と称する）を読み取る。具体的には、前述したように、バーコードにより埋め込まれている情報（品名、メーカ名、ロット番号、シリアル番号、量、耐用回数もしくは有効期限、価格に関する情報）を読み込む。なお、本実施の形態のバーコードリーダ２０５は後述するように２次元バーコードを読み取るバーコードリーダとする。
【００７５】
なお、バーコードは一次元情報であり、バーコードを発展させて２次元に拡張されたコードは２次元コードと称されるが、本願においては、適宜２次元バーコードと称するものとする。また、２次元バーコード（２次元コード）を読み取る読取装置も特に２次元コードリーダと称さずバーコードリーダと称することとする。
【００７６】
なお、表示部２０４は、バーコードリーダ２０５による各種読み取り結果を対話的に表示する。たとえば、消耗品もしくは消耗品の包装に付されたバーコードを読み取った結果（品名、メーカ名、ロット番号、シリアル番号、量、耐用回数もしくは有効期限、価格に関する情報）も確認表示する。
【００７７】
なお、本願出願人は、自動分析装置と、試薬を含めて各種消耗品を共に提供するためバーコードリーダと２次元バーコード（読み取らせるべき情報）との対応を一致させることができるが、他のメーカの試薬を使う場合は、必ずしも２次元バーコードが使用されているとは限られず、場合によっては、バーコードの付されていない消耗品が使用される場合もある。従って、後述するように、自動分析装置１０１は、バーコード発行部を設け、２次元バーコードでない場合、上述した消耗品の情報を織り込んだ２次元バーコードを発行し、２回目以降の試験に関しては、入力の手間を省く仕様としている。
【００７８】
電話線２０６は、管理装置１０２との間で各種の情報を送受信する。具体的な情報の内容については後述するが、電話線２０６は、自動分析装置１０１の障害情報や、消耗品の補充要請もしくは交換要請に関する情報を送信する際に使用される。また、管理装置１０２からは、障害を復旧する復旧情報を送信し、管理装置１０２の制御による自動復旧に資する。
【００７９】
次に、自動分析装置１０１の構成を、ブロック図を基に説明する。図３は、自動分析装置１０１の内部構成を中心に示したブロック図である。自動分析装置１０１は、バーコードリーダ３０１と、試験内容入力部３０２と、消耗品格納部３０３と、分析部３０４と、データ解析部３０５と、データ格納部３０６と、表示部３０７と、中央制御部３０８と、通信部３０９と、バーコード発行部３１０と、を有する。なお、図３に示したバーコードリーダ３０１、消耗品格納部３０３、分析部３０４、データ解析部３０５、表示部３０７は、図２に示したバーコードリーダ２０５、消耗品格納部２０２、分析部２０１、解析部２０３、表示部２０４と同一のものであるが、ここでは便宜的に異なる符号を付している。
【００８０】
次に、自動分析装置１０１の各部について説明する。
バーコードリーダ３０１は、消耗品自身もしくは消耗品の包装に付されているバーコードを読み取り、中央制御部３０８の制御の下、データ格納部３０６中の消耗品情報格納部３６２に消耗品情報を格納する。バーコードリーダ３０１は２次元コードを読み取る構成としている。
【００８１】
２次元コードは、スタック型２次元コードおよびマトリックス型２次元コードのどちらの型を用いてもよい。バーコードが一方向だけにしか情報を持たないのに対し、２次元コードは、水平垂直方向に情報を持っている。このため、面積効率が、バーコードの数十倍から数百倍のデータ表現を生み出し、自動分析装置１０１で扱う消耗品情報を効率的に入力することが可能となる。
【００８２】
図４は、スタック型２次元コードのうち、代表的なコードとして、ＣＯＤＥ４９、ＰＤＦ４１７の例を示した図であり、図５は、マトリックス型２次元コードのうち、代表的なコードとして、ＶＥＲＩＣＯＤＥ、ＤＡＴＡ  ＣＯＤＥ、ＱＲ  ＣＯＤＥ、Ｍｉｃｒｏ  ＱＲ  ＣＯＤＥの例を示した図である。
【００８３】
図４に示したＣＯＤＥ４９は、Ｉｎｔｅｒｍｅｃ社（米国）により１９８４年に発表され、ＰＤＦ４１７は、Ｓｙｍｂｏｌ  Ｔｅｃｈｎｏｌｏｇｉｅｓ社（米国）により１９８４年に発表された。図５に示したＶＥＲＩＣＯＤＥは、ＶＥＲＩＴＥＣ社（米国）により１９８２年に発表され、ＤＡＴＡ  ＣＯＤＥは、Ｉ．Ｄ．ＭＡＴＲＩＸ社（米国）により１９８７年に発表され、ＱＲ  ＣＯＤＥおよびＭｉｃｒｏ  ＱＲは、デンソー（日本）により１９９５年に発表された。
【００８４】
２次元コードの特徴を図６に示す。２次元コードは、データ量の大きさのほかに、読取方向性に依存しないという特徴がある。このほか、２次元コードの特徴としては、誤り訂正機能を備えるため誤読率が極めて低く、歪み補正機能を有する点が挙げられる。誤り訂正機能とは、コードに対する汚れや欠損等に対してデータを復元する機能であり、たとえば、リードソロモン方式を採用することにより達成できる。
【００８５】
歪み補正機能とは、各コードともタイミングパターンを有しており、歪みによって生じるセル（ドット）の位置ずれを補正する機能をいう。この機能により、曲面に印刷されたコードの読み取りがバーコードに比べて容易となる。この点からも、種々の包装形態が採用されている消耗品の情報を入力する際に２次元コードは利便性が高い。
【００８６】
本実施の形態では、ＱＲ  ＣＯＤＥを用いる。なお、使用の態様によっては、１次元コード（バーコード）を用いてもよい。バーコードリーダ３０１は、主として、消耗品を新たに自動分析装置１０１に設置ないし格納する際に使用する。図２に示したように、バーコードリーダ３０１（バーコードリーダ２０５）は、ハンディタイプであり、消耗品格納部３０３に設置ないし格納する際に、ＱＲ  ＣＯＤＥを読み込み、後述する在庫管理に資する。
【００８７】
次に、試験内容入力部３０２について説明する。試験内容入力部３０２は、たとえばキーボードにより構成され、試験内容を入力する。試験内容とは、試験項目と試験数をいう。また、場合によっては、試験日、試験名、試験数（検体数）、使用試薬、使用洗浄剤、使用容器等を入力する。なお、このうち、たとえば試験日は自動分析装置１０１に内蔵された時計等から自動取得してもよい。また、使用試薬や使用洗浄剤については試験項目を入力した時点で自動的に決定されるものを使用する場合であれば入力を省略することができる。また、試験名には、よく試験する項目を、たとえば、標準免疫試験１〜標準免疫試験５の様に予め登録しておき、その番号を選択するだけで試験内容を入力する態様としてもよい。
【００８８】
次に、消耗品格納部３０３について説明する。消耗品格納部３０３は、交換部品格納部３３１と、試薬格納部３３２と、洗浄剤格納部３３３と、容器格納部３３４と、を有する。このうち、試薬格納部３３２、洗浄剤格納部３３３および容器格納部３３４は、試薬品、洗浄剤、検体用容器を格納し、さらに、機械的な駆動部を有する。この駆動部は、中央制御部３０８の駆動制御を受け、試薬や洗浄剤の吸い上げ制御や、検体用容器搬送制御をおこなう。
【００８９】
一方、交換部品格納部３３１は、定期的に交換する必要のある部品もしくは所定の耐用限度で交換する必要のある部品（たとえば、シリンジ、パッキン、ハロゲンランプ、熱線カットフィルター、プローブ）を格納する。なお、交換部品は、通常、人手を介して交換される。しかし、吸光分析に必要なランプのように、試験途中でランプが切れる場合もある。この様な消耗品については、所定の配置場所に取り付けておき、中央制御部３０８の駆動制御をうけつつ、復旧駆動がなされる仕様としてもよい。
【００９０】
次に、分析部３０４について説明する。分析部３０４は、試験／測定部３４１と、駆動／搬送部３４２とから構成され、中央制御部３０８の制御を受け、臨床検査ないし化学分析をおこなう。試験／測定部３４１は、医学分野、生物分野、化学分野における臨床検査ないし化学分析をおこなう。臨床検査は、大きく分けて検体検査と生理検査の２種類に分けられるが、ここでは、主として検体検査を意味するものとする。検体検査とは、検体提供者（たとえば、患者）から尿、血液、痰、組織などの検体（材料）を採取し、それらを化学的に分析したり、形態学的に観察する検査をいう。
【００９１】
検体検査の分類は種々あるが、たとえば、一般検査、生化学検査、免疫血清検査、細菌検査、病理検査、輸血検査等に分類できる。このうち、一般検査とは、尿、便を主とした体液に関する検査であり、このほか、胃液・十二指腸液、喀痰、脳脊髄液、穿刺液などに関する検査をいうこともある。また、血液検査とは、細胞成分（赤血球、白血球、血小板）や、血漿成分（細胞成分を除いたもの）について検査することをいう。
【００９２】
また、生化学検査（臨床化学検査と称することもある）とは、 血液の一部（血清等）を化学的に分析し、データを解析する検査をいう。また、免疫血清検査とは、梅毒検査やリウマチ検査をはじめ、血液中の免疫グロブリンや補体など特殊な蛋白の定量検査をいう。また、細菌検査とは、ある感染症がどのような微生物によって起きるかを調べ、さらに治療に可能な抗生物質の決定をおこなう検査をいう。病理検査とは、人体組織の顕微鏡観察標本を作製したり、実際に観察をおこない、病気の原因を組織細胞学的に追求する検査をいう。
【００９３】
また、輸血検査とは、血液型検査や輸血用血液が検体提供者に対して輸血可能か否かを調べたり、検体提供者の血清中の自己あるいは供血者の血球と反応する因子の存在を調べたりする検査をいう。このほか、検体検査には、染色体やＤＮＡの検査、放射性同位元素を使用する検査が挙げられる。
【００９４】
なお、自動分析装置１０１は、上述した検体検査の分類のうち、自動的に試験を行えるものであれば、検査項目を制限するものではない。従って、図２に示した自動分析装置１０１自体は比較的多数の検体を調べる装置態様であるが、本発明は、たとえば、輸血適合性を調べる装置（自動分析装置）に適用することも可能である。
【００９５】
以上は、臨床検査（検体検査）についての一般的な説明したが、自動分析装置は化学分析もおこなう。ここで、化学分析とは、物質の鑑定や成分の判定ないし測定をおこなう操作をいう。化学分析は、単数の分析試験もしくは少数の分析試験の組合せをいい、臨床検査は、複数の化学分析の組合せもしくは多数の分析試験の組合せをいう。なお、各試験工程で得られた結果は、試験／測定部３４１からデータ解析部３０５に送られる。
【００９６】
駆動／搬送部３４２は、中央制御部３０８の制御をうけ、検体の入った検体用カップを搬送し、試験／測定部３４１における試験ないし測定に関する機構を駆動する。また、駆動／搬送部３４２は、消耗品格納部３０３の駆動部との連携もとる。駆動／搬送部３４２は、たとえば、試薬ボトルに差し込まれたチューブをローラーでしごき、０．０２ｍｌ検体カップに滴下し、検体カップを揺動し、撹拌する動作を順次おこなう。
【００９７】
次に、データ解析部３０５について説明する。データ解析部３０５は、分析部３０４から各測定データまたは試験データを入力し、所定のプログラムに基づいてデータ解析をおこなう。解析結果はデータ格納部３０６の解析結果格納部３６１に送出される。なお、データ解析部３０５は、所定のプログラムに従ってデータ処理をおこなうので、使用の態様によっては中央制御部３０８がおこなってもよい。データ解析部３０５は、適当な規模のＣＰＵにより実現することができる。
【００９８】
次に、データ格納部３０６について説明する。データ格納部３０６は、解析結果格納部３６１と、消耗品情報格納部３６２と、試験実績格納部３６３と、を有する。解析結果格納部３６１は、データ解析部３０５で解析されたデータを格納する。消耗品情報格納部３６２は、消耗品情報を格納する。試験実績格納部３６３は、過去におこなった試験に関する情報、すなわち、試験実績を格納する。
【００９９】
試験実績は、試験日、試験項目、試験に使用した試薬や洗浄剤の情報（たとえば、品名、ロット番号、シリアル番号、使用量、有効期限など）、試験で使用した容器の情報（たとえば、品名、容量、ロット番号、シリアル番号、使用数量など）などに関する情報をいう。試験実績格納部３６３に試験実績を格納しておくことにより、臨床検査ないし化学分析を開始するに当たって試薬の有効期限をはじめ消耗品の管理をおこなうことができる。特に、試験精度を維持できるか否かについての判断をおこなうことが可能となる。
【０１００】
なお、自動分析装置１０１のデータ格納部３０６には、ハードディスクを用いているが、不揮発性の記憶媒体であれば特に限定されない。また、解析結果等については、一時的にしか使用しないデータであれば、ＲＡＭに格納する構成としてもよい。
【０１０１】
次に、中央制御部３０８について説明する。図７は、中央制御部３０８の機能的構成を説明したブロック図である。中央制御部３０８は、試験精度判定部３８１と、試験禁止部３８２と、駆動制御部３８３と、要請情報送出部３８４と、試験費算出部３８５と、エラー検知部３８６と、装置状態取得部３８７と、エラー状態送出部３８８と、を有する。
【０１０２】
試験精度判定部３８１は、消耗品情報格納部３６２に格納された消耗品情報と、試験実績格納部３６３に格納された試験実績と、試験内容入力部３０２で入力した試験内容（試験項目と試験数、場合によっては試験日時などの付加的な情報）に基づいて、試験結果の精度が保証できるか否かを判定する。
【０１０３】
試験精度が保証できない場合としては、試薬がつぎ足される場合、消耗品の一部の耐用回数もしくは有効期限を超過する場合、試験精度が保証されている装置と試薬（場合によっては、試薬以外の消耗品）の組合せでない場合、試験精度が保証されていない試薬の組合せである場合、が挙げられる。
【０１０４】
たとえば、試薬に関しては、試薬ボトル毎の使い切りが原則であるにもかかわらず、自動分析装置を多人数で共有して使用する環境下では、試薬管理が不十分である場合がある。ここで、あるユーザが、これから使用しようとする試薬を試薬格納部３３２にセットする前に、張り付けられている２次元コードをバーコードリーダ２０５で読み込んだとする。このとき、試験精度判定部３８１が、試験実績格納部３６３に格納されている消耗品情報（特にシリアル番号）を参照し、同一物（すなわち使いかけ）の試薬であるか否かを判定する。
【０１０５】
試験精度判定部３８１は、同一物であると判定した場合、警告信号を出力する。警告信号は、具体的には、表示部３０７への警告表示であるが、使用の態様によっては、警告音を発生させる信号を送出してもよい。試験精度判定部３８１により、試験精度が維持でき、また試薬の管理が容易となる。
【０１０６】
また、試験精度判定部３８１は、同一メーカでない試薬を使用する場合に、試験精度が維持できない旨の警告信号を送信してもよい。これは、通常複数の試薬を使用する場合には、同一メーカ製の試薬を使用する場合に限り、試験精度が保証されるという実情に基づく。
【０１０７】
なお試験精度は、使用する試薬のみならず、定期交換部品といったほかの消耗品の情報に基づいて判定する場合もある。たとえば、グルコース分析では、バイオセンサー（グルコースオキシターゼ固定化酵素電極）が所定の耐用回数ないし通算試験時間を超えると劣化が生じる場合がある。従って、試験内容入力部３０２で入力された試験数を実施し、試験中に上述した所定回数ないし所定時間を超過すると予測される場合には、試験精度判定部３８１は、試験精度が維持できないと判断し、警告信号を送出する。
【０１０８】
試験禁止部３８２は、試験精度判定部３８１が試験精度を維持できないと判定した場合に、試験内容入力部３０２により入力された、これからおこなおうとする試験の実行を禁止する。具体的には、駆動制御部３８３に対して装置の駆動・部品の搬送といった動作を禁止する制御をおこなう（駆動・搬送禁止信号を送出する）。反対に、試験精度が維持できる試験内容が新たに入力されたり、試験精度が維持できる消耗品が新たに格納された場合には、解除信号を送出し、試験の禁止を解除する。なお、試験精度が維持できる消耗品が新たに格納されたか否かは、たとえば、バーコードリーダ３０１により、異なるＬＯＴ番号が入力されたことにより判定できる。
【０１０９】
一方、駆動制御部３８３は、装置全体の駆動制御を司る。具体的には、分析部３０４における駆動を制御する。駆動制御部３８３は、この他、分析部３０４の駆動制御のみならず、電源投入時のｂｏｏｔ処理をおこない、また、分析部３０４以外の装置各部の電気的もしくは機械的な駆動部を統括制御する。なお、駆動制御部３８３は、所定のプログラムにより動作が規定されており、この動作プログラムは、ハードディスクに格納されている。
【０１１０】
要請情報送出部３８４は、消耗品情報格納部３６２に格納した消耗品情報と、試験実績格納部３６３に格納した試験実績と、試験内容入力部３０２により入力された試験内容に基づいて、消耗品の補充要請もしくは交換要請に関する情報（以降ではこの情報を適宜要請情報と称することとする）を送出する。たとえば、これからおこなう臨床検査では、生理食塩水は十分にあるが、同内容の試験があと２回おこなわれると、生理食塩水の不足が生じる、といった場合に要請情報が送出される。
【０１１１】
要請情報は表示部３０７と管理装置１０２へ送出される。要請情報が表示部３０７に送出される場合は、表示制御信号として送出され、表示部３０７は「生理食塩水があと２回の試験で不足します」等と表示する。また、要請情報が管理装置１０２へ送出される場合は、補充信号として送出され、管理装置１０２側では、後述するように、要請された消耗品の発注処理をおこなう。
【０１１２】
なお、使用の態様によっては、表示部３０７に「生理食塩水を発注処理しますか？」と表示させ、適宜ユーザにより入力された発注情報を補充信号に含ませて管理装置１０２に送出してもよい。この様に、要請情報送出部３８４が要請情報を送出することにより、消耗品の在庫管理が容易になり、臨床検査ないし化学分析を円滑におこなうことが可能となる。
【０１１３】
試験費算出部３８５は、消耗品情報格納部３６２に格納された消耗品情報（特に単価）と、試験内容入力部３０２から入力した試験内容（使用する消耗品と数量もしくは量）に基づいて、試験費用を算出する。自動分析装置１０１は、多目的な使用が可能であり、必ずしもユーザが１人に限定されず、使用される消耗品も１人により管理される状況下にないため、試験費用の管理も装置側でおこなう必要がある。たとえば、総合病院に臨床検査室があり、血液検査班、尿検査班、便試験班に分けられていたとする。このとき、各班で消耗品の予算消化報告や予算申請のために試験費用の算出が必要となる場合がある。試験費算出部３８５は、この様な場合に試験費を算出する。
【０１１４】
次に、試験費の算出例を説明する。図８〜図１３は、試験費算出の例を説明する説明図であり、より具体的には表示部３０７の画面を模式的に示した図である。このうち、図８は、洗浄液についてのテスト単価を、図９は、検体希釈液のテスト単価を、図１０は、洗浄液についてのテスト単価を、図１１は、測定試薬についてのテスト単価を、図１２と図１３は、定期交換部品についてのテスト単価をそれぞれ示している。
【０１１５】
図８について詳述すると、洗浄液の購入価格（標準価格）が１１４００円であり、包装形態から２３．７５円／ｍｌであることが計算できる。これを５０倍に希釈し、１月の使用量が４４４ｍｌ、１月当たり検体数（テスト数）が３０，０００であるので単価が０．７円／ｔｅｓｔであることがわかる。他の消耗品についても同様に計算すると、この例では、図１３に示したように、１テスト当たりの平均単価（総合計単価）は８７．７８円となる。
【０１１６】
なお、試験費算出部３８５は、このほか、各班毎、各臨床検査毎、必要なグループに応じテスト単価やテスト単価にテスト数を掛け合わせたテスト総費用を算出してもよい。算出した費用は、試験実績格納部３６３に格納する。なお、試験費算出部３８５は、ハードディスク等に格納されたプログラムにより試験費を算出することが可能となる。
【０１１７】
中央制御部３０８は、以上説明した消耗品管理以外にも、装置のエラー監視もおこなう。エラー検知部３８６は、試験中にエラーが発生したか否かを検知する。エラー検知部３８６は、エラー発生時刻やエラー発生箇所を入力し、後述するエラー状態送出部３８８にその情報（エラー情報）を送出する。また、装置状態取得部３８７は、エラー検知部３８６によりエラーが検知された場合に、装置の状態を取得する。装置の状態とは、たとえば、実行中の試験内容、試験段階、試薬の滴下をおこなっていた検体用カップの番号などをいう。装置状態取得部３８７は、取得した装置状態をエラー状態送出部３８８に送出する。
【０１１８】
エラー状態送出部３８８は、エラー検知部３８６から入力したエラー情報と、装置状態取得部３８７から入力した装置状態とをエラー状態情報として表示部３０７と管理装置１０２へ送出する。すなわち、表示部３０７へは、表示制御信号として送出し、表示部３０７は「試薬滴下ステップで、ハロゲンランプが切れました。現在新しいハロゲンランプに交換中です。このエラーによる検査不良は発生しておりません。しばらくおまちください」、「検体カップの移動中に移動ベルトが停止しました。復旧してください。復旧手順は順次画面の説明に従ってください」などと表示する。
【０１１９】
また、管理装置１０２へエラー状態情報が送出されることにより、管理装置１０２側から復旧作業を指示できる場合がある。特に、夜間に自動分析装置１０１を稼働させるような場合には、管理装置１０２側から保守点検サービスをおこなうことができる。これにより、自動分析システム１００では総合的なリモートメンテナンスが可能となっている。
【０１２０】
次に、図３に戻り、通信部３０９について説明する。通信部３０９は、中央制御部３０８の制御を受け、管理装置１０２と自動分析装置１０１間で各種の情報を送受信する。たとえば、通信部３０９は、前述したように、補充信号を送信したり、エラー状態情報を送信したりする。また、通信部３０９は、ブラウザ機能を有しており、装置に関する復旧手順やＦＡＱを閲覧可能としている。
【０１２１】
また、通信部３０９は、ｅ−ｍａｉｌの送受信機能も有しており、たとえば、要請情報に基づいて発注した消耗品の手配状況を確認したり、管理装置１０２側から送信された受注確認を受信したりすることができる。通信部３０９は、モデムや電話線２０６により構成され、また、ブラウザ機能やｅ−ｍａｉｌ機能については、ハードディスク等に格納されたプログラムにより実現している。
【０１２２】
次に、バーコード発行部３１０について説明する。バーコード発行部３１０は、消耗品情報を織り込んだ２次元コードを発行する。発行に際しては、まず、品名、ロット番号、シリアル番号、量または数量、単価などの必要な消耗品情報をキーボードと表示部３０７を用いて対話的に入力する。入力結果を確定すると、シールとなったＱＲコードをプリントアウトする。また、一度入力した消耗品情報は、次回の入力の手間を省く様にハードディスクに格納しておく。
【０１２３】
なお、バーコード発行部３１０は、試薬や洗浄剤に対してもバーコードを発行してしまう可能性があるが、このときは上述した消耗品情報に試薬や洗浄剤の項目を設けなくすることで入力不可もしくはプリントアウト不可とする制御をおこなう。この制御はたとえば、試験禁止部３８２がおこなう。この様に制御をおこなうことで、試験開始の際に、予め許可されている（すなわち精度保証がなされている）試薬や洗剤のみだけが使用でき、ユーザが勝手な試薬を使用することができなくなり、試験精度を維持向上できることとなる。
【０１２４】
次に、自動分析装置１０１のハードウェア構成について説明する。図１４は、自動分析装置１０１のハードウェア構成を説明する説明図である。自動分析装置１０１は、そのハードウェア構成として、ＣＰＵ４０１と、ＲＡＭ４０２と、ＲＯＭ４０３と、ハードディスク（ＨＤ）４０４と、モデム４０５と、ビデオカード４０６と、インターフェース（Ｉ／Ｆ）部４０７と、分析部３０４とを有する。また、Ｉ／Ｆ部４０７には、マウス４７１、キーボード４７２およびプリンタ４７３が接続されている。また、ビデオカード４０６には表示部３０７を構成するＣＲＴが接続されている。
【０１２５】
ＨＤ４０４は、プログラム部４４１と、データベース部４４２とから構成されている。プログラム部４４１は、装置全体の基本制御をおこなうプログラムであるＯＳと、試験精度判定部３８１（図７参照）で使用するプログラムである試験精度判定プログラムと、分析部３０４（図３参照）で使用するプログラムである試験／測定プログラムおよび駆動／搬送／障害復旧プログラムと、データ解析部３０５（図３参照）で使用するプログラムであるデータ解析プログラムと、を有する。
【０１２６】
また、プログラム部４４１は、要請情報送出部３８４（図７参照）で使用するプログラムである消耗品発注プログラムと、試験費算出部３８５（図７参照）で使用するプログラムである試験費算出プログラムと、バーコードリーダ３０１により入力されたＱＲコードを解析するプログラムであるＱＲコード解析プログラムと、バーコード発行部（図３参照）で使用するプログラムであるＱＲコード発行プログラムと、通信部（図３参照）で使用するプログラムである通信プログラムと、を有する。なお、以上説明したプログラムは、それぞれ図３または図７を用いて説明した各部の機能を実行するプログラムである。
【０１２７】
図３と図１４との対応について説明する。図３の試験内容入力部３０２は、図１４に消耗品と試験内容を共に管理し、これにより、たとえば、試薬のつぎ足しや、保証されていない消耗品の組合せなど、正常でないもしくは保証のされていない消耗品の使用を防止し、試験精度を維持し、信頼性を向上させることが可能となる。
示したマウス４７１とキーボード４７２に対応しておりその機能を実現する。図３のデータ解析部３０５は、図１４に示したハードディスク４０４（プログラム部４４１）、ＣＰＵ４０１およびＲＡＭ４０２に対応しておりその機能を実現する。図３のデータ格納部３０６は、図１４に示したデータベース部４４２に対応しておりその機能を実現する。図３の表示部３０７は、図１４に示したビデオカード４０６（およびその信号出力先であるＣＲＴ）に対応しておりその機能を実現する。
【０１２８】
図３の中央制御部３０８は、図１４に示したＣＰＵ４０１、ＲＡＭ４０２およびＨＤ４０４（プログラム部４４１）に対応しておりその機能を実現する。図３の通信部３０９は、図１４に示したモデム４０５とＨＤ４０４（プログラム部４４１）に対応しておりその機能を実現する。図３のバーコード発行部３１０は、図１４に示したプリンタ４７３およびＨＤ４０４（プログラム部４４１）に対応しておりその機能を実現する。
【０１２９】
（管理装置の内容）
次に、管理装置１０２について説明する。管理装置１０２は、自動分析装置１０１の提供側（たとえば、自動分析装置１０１の製造会社、販売会社、保守会社）に設置され、自動分析装置１０１のリモートメンテナンスをおこなうと共に、消耗品管理の一部を代行する装置である。リモートメンテナンスについては、エラー状態送出部３８８（図７参照）から送出されるエラー状態情報に基づいて、適宜装置に対して復旧操作制御情報を送出する。以降では消耗品管理を中心として説明する。
【０１３０】
管理装置１０２は、図１に示したようにネットワーク１０３を介して多数の自動分析装置１０１と接続している。管理装置１０２は、各自動分析装置１０１から定期的に要請情報を受信している。従って、管理装置１０２は、消耗品の消費動向を把握することが可能となり、生産調整に資することが可能となる。図１５は、管理装置１０２の機能的構成の一例を説明したブロック図である。
【０１３１】
管理装置１０２は、その機能的構成として、要請情報受信部５０１と、要請情報格納部５０２と、消耗品消費履歴導出部５０３と、消費量予測部５０４と、消耗品発注部５０５と、を有する。
【０１３２】
要請情報受信部５０１は、自動分析装置１０１から要請情報（補充要請または交換要請、および要請にかかる消耗品の品目）を受信し、自動分析装置１０１で不足しそうな消耗品に関する情報を入力する。なお、要請情報受信部５０１は、たとえば、管理装置１０２に内蔵されるモデムによりその機能を実現することが可能となる。
【０１３３】
要請情報格納部５０２は、要請情報受信部５０１で受信した要請情報を順次格納する。なお、要請情報格納部５０２は、どの自動分析装置からの要請情報であるかを区別する識別子と、要請日時（受信日時）を同時に格納する。要請情報自身、要請情報の送信元、受信日時を格納しておくことにより、後述する消耗品の消費傾向を把握する際の利便に資する。なお、要請情報格納部５０２は、たとえば、管理装置１０２のハードディスクによりその機能を実現することが可能となる。
【０１３４】
消耗品消費履歴導出部５０３は、要請情報格納部５０２に格納された要請情報に基づき、消耗品の消費履歴を統計処理し、消費量予測部５０４は、消耗品消費履歴導出部５０３で統計処理された結果から、消費動向を予測する。さらに、消耗品発注部５０５は、消費量予測部５０４で予測された消費量に基づいて、該当する消耗品を製造部へ発注する。なお、自動分析装置１０１の提供側（すなわち、自動分析装置１０１のメーカや販売会社）と、消耗品の提供側（すなわち消耗品のメーカや販売会社）が同一でない場合は、消耗品製造部でなく、消耗品のメーカや販売会社に発注することとなる。
【０１３５】
ここで、消費履歴と消費予測について説明する。図１６は、管理装置１０２に接続している１００台の自動分析装置１０１の消費履歴と、消費予測との例を示した説明図である。図から明らかなように、試薬Ａは、最近数ヶ月よく使用されており、今後もしばらくは同様な消費傾向にあるであろうと予測される。従って消耗品発注部５０５は、予測された消費量の消耗品を消耗品製造部へ発注する。なお、消耗品発注部５０５では、消耗品の有効期限に基づいて、期限管理をおこなうものとする。具体的には、試薬の有効期限が６０日である場合に、向こう半年間分の消耗品を一時に発注しない様にする。
【０１３６】
別の例について説明する。図１７は、管理装置１０２に接続している１００台のうちのある分析会社Ｐに納入されている自動分析装置１０１一台で使用されている試薬Ｂの消費に関する長期推移の例を示している。図から明らかなように、現時点では、試薬Ｂの使用量は増加傾向にあるが、過去の履歴から、しばらくすると急激に消費が落ち込むであろうことが予想される。実際に、定期検診を受け付けている場合は、消耗品の消費が周期的となる。
【０１３７】
以上、消費量予測部５０４が過去の消費履歴を参照することにより、消耗品の消費予測をおこなうので、管理装置１０２側でも消耗品の安定供給が可能となる。すなわち、管理装置１０２側でも消耗品の在庫管理を自動的におこなうことができ、試験精度を遠からず保証することが可能となる。また、生産調整をおこなうことができるため、消耗品を安価にもしくは適正価格で提供することが可能となる。
【０１３８】
なお、以上の例では、複数の自動分析装置１０１が管理装置１０２に接続された場合を説明したが、管理装置１０２自体を自動分析装置１０１の使用者側に備えて、管理してもよい。
【０１３９】
（ネットワークの内容）
次に、ネットワーク１０３について簡単に説明する。ネットワーク１０３は、有線無線を問わず、電子的なデータを伝送する媒体であればその態様を問わない。従って、ネットワーク１０３は、インターネットである場合もあれば、ＬＡＮであってもよい。また、ＵＳＢ接続されたケーブルによってもネットワーク１０３が構築されているものとする。
【０１４０】
（自動分析システムの処理流れ）
最後に、自動分析システム１００の処理流れについて説明する。図１８および図１９は、自動分析装置１０１の処理流れの一例を示したフローチャートであり、図２０は、自動分析装置１０１の消耗品発注処理の流れの一例を説明したフローチャートである。また、図２１は、管理装置１０２の処理流れの一例を説明したフローチャートである。
【０１４１】
自動分析装置１０１は、まず消耗品情報を入力する（ステップＳ６０１）。消耗品情報は、ＱＲコードをバーコードリーダ３０１（図３参照）により読み取る。ＱＲコードの読取終了した消耗品は消耗品格納部３０３に格納する。またバーコードリーダ３０１で入力されたＱＲコードは、ＱＲコード解析プログラム（図１４プログラム部４４１参照）により解析される。
【０１４２】
自動分析装置１０１は、次に消耗品情報を格納する（ステップＳ６０２）。すなわち、解析されたＱＲコード（消耗品情報）は、消耗品情報格納部３６２に格納される。
【０１４３】
続いて、自動分析装置１０１は、試験内容（これからおこなう臨床検査ないし化学分析についての試験内容）を入力する（ステップＳ６０３）。試験内容は、予め登録しておいた臨床検査プログラムを読み出すことにより入力してもよいし、キーボード操作により表示部３０７と対話的に入力してもよい。また、使用する消耗品については、消耗品格納部３０３から取りだし、再びＱＲコードを読み取り、その内容を入力する。
【０１４４】
次に、自動分析装置１０１は、従前におこなわれた臨床検査ないし化学分析の試験実績を呼び出す（ステップＳ６０４）。試験実績は、各臨床検査ないし化学分析が終了した時点で試験実績として試験実績格納部３６３に累積格納されており、この情報が必要に応じて呼び出される。
【０１４５】
自動分析装置１０１は、ステップＳ６０１で入力された消耗品情報（全消耗品の在庫の情報）と、ステップＳ６０４で読み出された試験実績（既に使用された消耗品の情報）と、ステップＳ６０３で入力された試験内容（これからおこなおうとする試験にかかる消耗品の情報）とに基づいて、試験結果の精度が保証できるか否かを判定する（ステップＳ６０５）。たとえば、メーカ純正品であるか、使用期限内であるか、ロット番号の整合性があるか、未使用のシリアル番号であるか、等の規格適合の判定をおこなう。
【０１４６】
精度が保証できる場合（ステップＳ６０５：ＹＥＳ）、自動分析装置１０１は、発注処理ルーチンに移行する（ステップＳ６０６）。次に、発注処理ルーチンの内容を説明する。図２０において、自動分析装置１０１は、消耗品の在庫が十分であるかを判定する（ステップＳ７０１）。すなわち、特定の消耗品の不足が発生しないか否かを判定する。消耗品の在庫が十分である場合（ステップＳ７０１：ＹＥＳ）、発注処理ルーチンを終了する。
【０１４７】
一方、今回の試験をおこなうことにより、特定の消耗品不足が発生するもしくは近い将来発生すると認められる場合（ステップＳ７０１：ＮＯ）、警告表示をおこなう（ステップＳ７０２）。警告表示は、表示部３０７を介しておこなう。
【０１４８】
続いて、自動分析装置１０１は、発注情報を入力する（ステップＳ７０３）。発注情報は、図７で示した要請情報と同じものであり、ユーザが、品目と数量を指定することによりおこなう。入力が終了すると、自動分析装置１０１は、発注情報に基づいて消耗品を補充した場合に、在庫が必要十分となるかを判定する（ステップＳ７０４）。この判定により、在庫が未だ不十分と判定された場合は（ステップＳ７０４：ＮＯ）、ステップＳ７０２に移行し、このルーチンを繰り返す。
【０１４９】
なお、必要量を超える場合、たとえば、有効期限のある試薬を不必要に買いだめするような入力があった場合も、自動分析装置１０１は、在庫が必要十分でないと判定し、ステップＳ７０２に移行する。
【０１５０】
一方、ステップＳ７０４で、在庫が必要十分であると判定した場合、自動分析装置１０１は、入力した発注情報（要請情報）を管理装置１０２に送信する（ステップＳ７０５）。管理装置１０２に発注情報が送信されることにより、ユーザは、いちいち在庫管理をおこなわなくて済み、円滑な臨床検査ないし化学分析をおこなうことが可能となる。
【０１５１】
図１８に戻り、自動分析装置１０１は、試験を開始する（ステップＳ６０７）。すなわち、駆動制御部３８３（図７参照）の制御の下、分析部３０４（図３参照）を中心とする臨床検査ないし化学分析を開始する。なお、以降の試験内容については、試験／測定プログラム、駆動／搬送プログラムに従った内容であり、説明を省略する。
【０１５２】
さて、自動分析装置１０１が、ステップ６０５で精度が保証できないと判断した場合には（ステップＳ６０５：ＮＯ）、試験を禁止する（ステップＳ６０８）。すなわち、試験禁止部３８２（図７参照）が駆動／搬送禁止信号を送出し、駆動制御部３８３がこの駆動／搬送禁止信号をうけて分析部３０４で臨床検査ないし化学分析をおこなわないように制御する。
【０１５３】
試験を禁止すると同時に、自動分析装置１０１は、警告表示をおこなう（ステップＳ６０９）。警告表示は、表示部３０７を介しておこなう。続いて、自動分析装置１０１は、試験内容が再入力されたか否かを判定する（ステップＳ６１０）。試験内容の入力については、ステップＳ６０３と同様に、プログラムの読み出しや、キーボード操作によりおこなう。
【０１５４】
試験内容が再入力された場合（ステップＳ６１０：ＹＥＳ）、ステップＳ６０４（図１８参照）に移行し、以降はこのルーチンを繰り返す。一方、試験内容が再入力されなかった場合は（ステップＳ６１０：ＮＯ）、タイムアウトの判断をおこなう（ステップＳ６１１）。タイムアウトとなった場合は（ステップＳ６１１：ＹＥＳ）、試験をおこなわず、たとえば、自動分析装置１０１を、初期の入力待ち状態に移行させる処理をおこなう。所定の時間経過していない場合は（ステップＳ６１１：ＮＯ）、ステップＳ６１０に移行し、試験内容の再入力をまつ。
【０１５５】
次に、図２１を用いて、管理装置１０２の処理流れについて説明する。管理装置１０２は、複数のクライアント（複数の自動分析装置１０１）から、適宜要請情報（発注情報）を受信する（ステップＳ８０１）。受信した要請情報（発注情報）は、管理装置１０２内のハードディスクなどに累積格納しておく（ステップＳ８０２）。
【０１５６】
続いて、管理装置１０２は、ステップＳ８０２で格納した要請情報に基づいて消耗品の消費履歴を構築する（ステップＳ８０３）。すなわち、消耗品の品目毎に消耗品の数量を時系列データとして構築する。なお、消費履歴を会社毎に作成してもよい。
【０１５７】
管理装置１０２は、消費履歴に基づいて消費量を予測する（ステップＳ８０４）。最も簡易には、過去数ヶ月のデータに基づいて直線近似することが挙げられるが、過去の動向に基づいて所定の補間式に基づいて予測してもよい。最後に、管理装置１０２は、ステップＳ８０４で導出した予測量に従って、必要十分な消耗品を発注する（ステップＳ８０５）。
【０１５８】
この様に、管理装置１０２側では、多数の顧客側に設置されている自動分析装置１０１から消耗品の消費情報を吸い上げ、適正な生産計画を立てることができ、ひいては、品質の高い（換言すれば試験精度の維持できる）試薬を適正価格で提供することが可能となる。
【０１５９】
以上説明したように、自動分析システム１００は、試験精度を維持・保証でき、また、在庫管理をおこなうことにより臨床検査ないし化学分析の円滑実施を実現し、消費予測や生産調整による消耗品管理も可能としている。
【０１６０】
【発明の効果】
以上説明したように、本発明の自動分析装置は、医学分野、生物分野、化学分野における臨床検査ないし化学分析に用いられる自動分析装置であって、消耗品情報入力手段が、臨床検査ないし化学分析に関する消耗品の情報を入力し、消耗品情報格納手段が、消耗品情報入力手段により入力された消耗品の情報を格納し、試験実績格納手段が、従前におこなわれた臨床検査ないし化学分析の試験実績を格納し、試験内容入力手段が、新たな臨床検査ないし化学分析の試験項目と試験数を入力し、試験精度判定手段が、消耗品情報格納手段により格納された消耗品の情報と、試験実績格納手段により格納された試験実績と、試験内容入力手段により入力された試験項目と試験数に基づいて、臨床検査ないし化学分析を実行した場合に試験結果の精度が保証できるか否かを判定するので、消耗品と試験内容を共に管理し、これにより、たとえば、試薬のつぎ足しや、保証されていない消耗品の組合せなど、正常でないもしくは保証のされていない消耗品の使用を防止し、試験精度を維持し、信頼性を向上させることが可能となる。
【０１６１】
また、本発明の自動分析装置は、試験禁止手段が、試験精度判定手段により試験結果の精度が保証できないと判定された場合に、試験内容入力手段により入力された試験項目と試験数にかかる新たな臨床検査ないし化学分析の実行を禁止するので、試薬のつぎ足しや、保証されていない消耗品の組合せなど、正常でないもしくは保証のされていない消耗品の使用を禁止し、試験精度を維持し信頼性を向上させることが可能となる。
【０１６２】
また、本発明の自動分析装置は、要請情報送出手段が、消耗品情報格納手段により格納された消耗品の情報と、試験実績格納手段により格納された試験実績と、試験内容入力手段により入力された試験項目と試験数に基づいて、消耗品の補充要請もしくは交換要請に関する情報を送出するので、在庫管理を通じて、消耗品不足の発生が防止でき、検査ないし分析を円滑におこなうことが可能となる。
【０１６３】
また、本発明の自動分析装置は、消耗品の情報が、品名、ロット番号、シリアル番号、量、耐用回数もしくは有効期限、価格に関する情報であるので、消耗品を品名、ロット番号、シリアル番号で管理でき、試験実績に基づいて消耗品の残量管理や交換時期の管理ができ、また、コスト管理も可能となる。
【０１６４】
また、本発明の自動分析装置は、消耗品の情報が１次元バーコードもしくは２次元バーコードにより表現され、消耗品情報入力手段をバーコードリーダとしたので、消耗品自体もしくは消耗品の包装に付されているバーコードにより瞬時に消耗品の情報を入力し、これにより、多品種の消耗品を多数使用し、試験内容も多種におよぶ自動分析装置の使用環境全体の管理を容易におこなうことが可能となる。
【０１６５】
また、本発明の自動分析装置は、バーコード発行手段が、消耗品の情報を１次元バーコードもしくは２次元バーコードとして発行するので、バーコードが付されていない消耗品を使用する場合であっても、バーコード管理が可能になり、装置の作業効率を向上させることが可能となる。
【０１６６】
また、本発明の自動分析装置は、試験費算出手段が、消耗品情報入力手段により入力された消耗品の情報と、試験内容入力手段により入力された試験項目と試験数に基づいて、臨床検査ないし化学分析を実行した場合の試験費用を算出するので、従来では、試験項目、消耗品種類、消耗品数が膨大な数であり、試験費用の手計算が煩雑であったところ、既に入力してある消耗品情報に基づいて容易に試験費用を算出することが可能となる。
【０１６７】
また、本発明の自動分析装置は、エラー検知手段が、試験中のエラーを検知し、装置状態取得手段が、エラー検知手段によりエラーが検知された場合に、装置の状態を取得し、エラー状態送出手段が、エラー検知手段により検知されたエラーに関する情報と、装置状態取得手段により取得された装置の状態に関する情報を送出するので、障害時における装置状態を把握し、これにより、障害回避に資することが可能となる。
【０１６８】
また、本発明の自動分析システムは、自動分析装置がネットワークを介して管理装置と接続している自動分析システムであって、管理装置が、要請情報受信手段と発注手段を有し、要請情報受信手段が、要請情報送出手段により送出された補充要請もしくは交換要請に関する情報を受信し、発注手段が、要請情報受信手段により受信された情報に基づいて、補充もしくは交換すべき消耗品を発注するので、管理装置側で在庫管理ができ、自動分析装置を使用する側の在庫管理の手間を省きつつ、臨床検査ないし化学分析を円滑におこなうことが可能となる。
【０１６９】
また、本発明の自動分析システムは、自動分析装置が複数台ネットワークを介して管理装置と接続している自動分析システムであって、管理装置が、要請情報受信手段と、要請情報格納手段と、消費履歴導出手段と、を有し、要請情報受信手段が、要請情報送出手段から送出された補充要請もしくは交換要請に関する情報を受信し、要請情報格納手段が、要請情報受信手段により受信された情報を格納し、消費履歴導出手段が、要請情報格納手段により格納された情報に基づいて、消耗品の消費履歴を把握するので、消耗品に関する大局的な消費傾向を把握することができ、消耗品の生産計画に資することが可能となる。
【０１７０】
また、本発明の自動分析システムは、管理装置に備わる消費量予測手段が、消費履歴導出手段により導出された消耗品の消費履歴から消耗品の消費量を予測するので、消耗品の生産計画が可能となる。また、生産計画が可能になることで、試験精度が保証された消耗品を安価に提供することができる。
【０１７１】
また、本発明の自動分析システムは、管理装置に備わる発注手段が、消費量予測手段により予測された消費量に基づいて消耗品を発注するので、消耗品を提供する側の在庫管理の手間を省くことができる。
【０１７２】
また、本発明の自動分析装置管理方法は、医学分野、生物分野、化学分野における臨床検査ないし化学分析に用いられる自動分析装置の管理方法であって、消耗品情報入力工程では、臨床検査ないし化学分析に関する消耗品の情報を入力し、消耗品情報格納工程では、消耗品情報入力工程で入力された消耗品の情報を格納し、試験実績格納工程では、従前におこなわれた臨床検査ないし化学分析の試験実績を格納し、試験内容入力工程では、新たな臨床検査ないし化学分析の試験項目と試験数を入力し、試験精度判定工程では、消耗品情報格納工程で格納された消耗品の情報と、試験実績格納工程で格納された試験実績と、試験内容入力工程で入力された試験項目と試験数に基づいて、臨床検査ないし化学分析を実行した場合に試験結果の精度が保証できるか否かを判定するので、消耗品と試験内容を共に管理し、これにより、たとえば、試薬のつぎ足しや、保証されていない消耗品の組合せなど、正常でないもしくは保証のされていない消耗品の使用を防止し、試験精度を維持し、信頼性を向上させることが可能となる。
【０１７３】
また、本発明の自動分析装置管理方法は、試験禁止工程では、試験精度判定工程で試験結果の精度が保証できないと判定された場合に、試験内容入力工程で入力された試験項目と試験数にかかる新たな臨床検査ないし化学分析の実行を禁止するので、試薬のつぎ足しや、保証されていない消耗品の組合せなど、正常でないもしくは保証のされていない消耗品の使用を禁止し、試験精度を維持することが可能となる。
【０１７４】
また、本発明の自動分析装置管理方法は、要請情報送出工程では、消耗品情報格納工程で格納された消耗品の情報と、試験実績格納工程で格納された試験実績と、試験内容入力工程で入力された試験項目と試験数に基づいて、消耗品の補充要請もしくは交換要請に関する情報を送出するので、在庫管理を通じて、消耗品不足の発生が防止でき、検査ないし分析を円滑におこなうことが可能となる。
【０１７５】
また、本発明の自動分析装置管理方法は、消耗品の情報が、品名、ロット番号、シリアル番号、量、耐用回数もしくは有効期限、価格に関する情報であるので、消耗品を品名、ロット番号、シリアル番号で管理でき、試験実績に基づいて消耗品の残量管理や交換時期の管理ができ、また、コスト管理も可能となる。
【０１７６】
また、本発明の自動分析装置管理方法は、消耗品の情報が１次元バーコードもしくは２次元バーコードにより表現され、消耗品情報入力工程ではバーコードリーダを用いて消耗品の情報を入力するので、消耗品自体もしくは消耗品の包装に付されているバーコードにより瞬時に消耗品の情報を入力し、これにより、多品種の消耗品を多数使用し、試験内容も多種におよぶ自動分析装置の使用環境全体の管理を容易におこなうことが可能となる。
【０１７７】
また、本発明の自動分析装置管理方法は、バーコード発行工程では、消耗品の情報を１次元バーコードもしくは２次元バーコードとして発行するので、バーコードが付されていない消耗品を使用する場合であっても、バーコード管理が可能になり、装置の作業効率を向上させることが可能となる。
【０１７８】
また、本発明の自動分析装置管理方法は、試験費算出工程では、消耗品情報入力工程で入力された消耗品の情報と、試験内容入力工程で入力された試験項目と試験数に基づいて、臨床検査ないし化学分析を実行した場合の試験費用を算出するので、従来では、試験項目、消耗品種類、消耗品数が膨大な数であり、試験費用の手計算が煩雑であったところ、既に入力してある消耗品情報に基づいて容易に試験費用を算出することが可能となる。
【０１７９】
また、本発明の自動分析装置管理方法は、エラー検知工程では、試験中のエラーを検知し、装置状態取得工程では、エラー検知工程でエラーが検知された場合に、装置の状態を取得し、エラー状態送出工程では、エラー検知工程で検知されたエラーに関する情報と、装置状態取得工程で取得された装置の状態に関する情報を送出するので、障害時における装置状態を把握し、これにより、障害回避に資することが可能となる。
【０１８０】
また、本発明の消耗品管理方法は、要請情報受信工程では、要請情報送出手段から送出された補充要請もしくは交換要請に関する情報を受信し、発注工程では、要請情報受信工程で受信された情報に基づいて、補充もしくは交換すべき消耗品を発注するので、管理装置側で在庫管理ができ、自動分析装置を使用する側の在庫管理の手間を省きつつ、臨床検査ないし化学分析を円滑におこなうことが可能となる。
【０１８１】
また、本発明の消耗品管理方法は、自動分析装置が複数台存在する場合の消耗品管理方法であって、要請情報受信工程では、要請情報送出手段から送出された補充要請もしくは交換要請に関する情報を受信し、要請情報格納工程では、要請情報受信工程で受信された情報を格納し、消費履歴導出工程では、要請情報格納工程で格納された情報に基づいて、消耗品の消費履歴を導出するので、消耗品に関する大局的な消費傾向を把握することができ、消耗品の生産計画に資することが可能となる。
【０１８２】
また、本発明の消耗品管理方法は、消費量予測工程では、消費履歴導出工程により導出された消耗品の消費履歴から消耗品の消費量を予測するので、消耗品の生産計画が可能となる。また、生産計画が可能になることで、試験精度が保証された消耗品を安価に提供することができる。
【０１８３】
また、本発明の消耗品管理方法は、発注工程では、消費量予測工程で予測された消費量に基づいて消耗品を発注するので、消耗品を提供する側の在庫管理の手間を省くことが可能となる。
【図面の簡単な説明】
【図１】  本発明の自動分析システムの外観構成図である。
【図２】  自動分析装置の外観の一例を示した説明図である。
【図３】  自動分析装置の内部構成を中心に示したブロック図である。
【図４】  スタック型２次元コードのうち、代表的なコードとして、ＣＯＤＥ４９、ＰＤＦ４１７の例を示した図である。
【図５】  マトリックス型２次元コードのうち、代表的なコードとして、ＶＥＲＩＣＯＤＥ、ＤＡＴＡ  ＣＯＤＥ、ＱＲ  ＣＯＤＥ、Ｍｉｃｒｏ  ＱＲの例を示した図である。
【図６】  ２次元コードの特徴を示した図表である。
【図７】  中央制御部の機能的構成を説明したブロック図である。
【図８】  試験費算出の例を説明する説明図であり、洗浄液についてのテスト単価を示した図である。
【図９】  試験費算出の例を説明する説明図であり、検体希釈液のテスト単価を示した図である。
【図１０】  試験費算出の例を説明する説明図であり、洗浄液についてのテスト単価を示した図である。
【図１１】  試験費算出の例を説明する説明図であり、測定試薬についてのテスト単価を示した図である。
【図１２】  試験費算出の例を説明する説明図であり、定期交換部品についてのテスト単価を示した図である。
【図１３】  試験費算出の例を説明する説明図であり、定期交換部品についてのテスト単価を示した図である。
【図１４】  自動分析装置のハードウェア構成を説明する説明図である。
【図１５】  管理装置の機能的構成の一例を説明したブロック図である。
【図１６】  管理装置が接続している１００台の自動分析装置全体の消費履歴と、消費予測との例を示した説明図である。
【図１７】  管理装置が接続している１００台のうちのある分析会社Ｐに納入されている自動分析装置一台で使用されている試薬Ｂの消費に関する長期推移の例を示した図である。
【図１８】  自動分析装置の処理流れの一例を示したフローチャートである。
【図１９】  自動分析装置の処理流れの一例を示したフローチャートである。
【図２０】  自動分析装置の消耗品発注処理の流れの一例を説明したフローチャートである。
【図２１】  管理装置の処理流れの一例を説明したフローチャートである。
【符号の説明】
１００  自動分析システム
１０１  自動分析装置
１０２  管理装置
１０３  ネットワーク
２０１  分析部
２０２  消耗品格納部
２０３  解析部
２０４  表示部
２０５  バーコードリーダ
２０６  電話線
３０１  バーコードリーダ
３０２  試験内容入力部
３０３  消耗品格納部
３０４  分析部
３０５  データ解析部
３０６  データ格納部
３０７  表示部
３０８  中央制御部
３０９  通信部
３１０  バーコード発行部
３３１  交換部品格納部
３３２  試薬格納部
３３３  洗浄剤格納部
３３４  容器格納部
３４１  試験／測定部
３４２  駆動／搬送部
３６１  解析結果格納部
３６２  消耗品情報格納部
３６３  試験実績格納部
３７８  装置状態取得部
３８１  試験精度判定部
３８２  試験禁止部
３８３  駆動制御部
３８４  要請情報送出部
３８５  試験費算出部
３８６  エラー検知部
３８７  装置状態取得部
３８８  エラー状態送出部
４０４  ハードディスク
４０５  モデム
４４１  プログラム部
４４２  データベース部
４７３  プリンタ
５０１  要請情報受信部
５０２  要請情報格納部
５０３  消耗品消費履歴導出部
５０４  消費量予測部
５０５  消耗品発注部
【図１】
0003725448.tif 000002
【図２】
0003725448.tif 000003
【図３】
0003725448.tif 000004
【図４】
0003725448.tif 000005
【図５】
0003725448.tif 000006
【図６】
0003725448.tif 000007
【図７】
0003725448.tif 000008
【図８】
0003725448.tif 000009
【図９】
0003725448.tif 000010
【図１０】
0003725448.tif 000011
【図１１】
0003725448.tif 000012
【図１２】
0003725448.tif 000013
【図１３】
0003725448.tif 000014
【図１４】
0003725448.tif 000015
【図１５】
0003725448.tif 000016
【図１６】
0003725448.tif 000017
【図１７】
0003725448.tif 000018
【図１８】
0003725448.tif 000019
【図１９】
0003725448.tif 000020
【図２０】
0003725448.tif 000021
【図２１】
0003725448.tif 000022